(57)【要約】【課題】便座起立専用のスイッチ以外のスイッチを操作することにより便座を起立させることができる便座制御装置を提供する。【解決手段】トイレルーム内に人体が入ってくると、まず便蓋駆動装置６を作動させて便蓋４を起立（開放）させる。その後、便座３に着座することなく大小の便器洗浄スイッチ３１，３２及び電源スイッチ４０を除いたスイッチが操作されると、便座３が起立する。この便座３が起立した後は、リモコン２０の各スイッチは当該スイッチ本来の機能を奏することになる。便蓋４が起立した後、リモコン２０の大又は小用の便器洗浄スイッチ３１又は３２が操作されると、大又は小便器洗浄が行われ、その後、便器洗浄スイッチ３１，３２と電源スイッチ４０以外のスイッチが操作されると、便座３が起立する。【選択図】  図５
2004154418.tif 000002
【特許請求の範囲】
【請求項１】
洋風便器上の便座を起立させる便座駆動装置と、
該洋風便器に設けられた機器を操作するための複数のスイッチを有したリモコンと
を有する便座制御装置において、
該洋風便器に設けられた便蓋が倒伏しているときには、該リモコンのいずれのスイッチが操作されたときでも該便座駆動装置は便座を起立させることを特徴とする便座制御装置。
【請求項２】
洋風便器上の便座を起立させる便座駆動装置と、
該洋風便器に設けられた機器を操作するための複数のスイッチを有したリモコンと
を有する便座制御装置において、
該洋風便器に設けられた便蓋が倒伏しているときには、該リモコンの電源スイッチ以外のいずれのスイッチが操作されたときでも該便座駆動装置は便座を起立させることを特徴とする便座制御装置。
【請求項３】
洋風便器上の便座を起立させる便座駆動装置と、
該洋風便器に設けられた機器を操作するための複数のスイッチを有したリモコンと
を有する便座制御装置において、
該洋風便器に設けられた便蓋が起立しており、且つ便座に着座がなされていないときには、該リモコンの便器洗浄用スイッチ以外のいずれのスイッチが操作されたときでも該便座駆動装置が便座を起立させることを特徴とする便座制御装置。
【請求項４】
洋風便器上の便座を起立させる便座駆動装置と、
該洋風便器に設けられた機器を操作するための複数のスイッチを有したリモコンと
を有する便座制御装置において、
該洋風便器に設けられた便蓋が起立しており、且つ便座に着座がなされていないときには、該リモコンの電源スイッチと便器洗浄用スイッチとを除いたいずれのスイッチが操作されたときでも該便座駆動装置が便座を起立させることを特徴とする便座制御装置。
【発明の詳細な説明】
【０００１】
【発明の属する技術分野】
本発明は、洋風便器上の便座をスイッチ操作によって起立させる便座制御装置に関する。
【０００２】
【従来の技術】
洋風便器上の便座や便蓋をリモコンに設けられたスイッチの操作によって開閉（起立、倒伏）させる便座制御装置は例えば下記特許文献１，２の通り周知である。
【０００３】
【特許文献１】
特開平６−１２１７５７号公報
【特許文献２】
特開平１１−７１７９９号公報
【０００４】
【発明が解決しようとする課題】
従来の便座、便蓋の開閉用のスイッチは、それ専用のものであるため、リモコンに設けられた多くのスイッチの中から便座、便蓋の開閉用スイッチを識別することが必要である。このスイッチの識別は、当該リモコンの使用に不慣れな人や、遠視、弱視等の人、あるいは照明を点灯し忘れたときなどには難儀となることがある。
【０００５】
本発明は、便座をスイッチ操作によって起立させる便座制御操作において、このスイッチ操作を簡単に行うことを可能とするものである。
【０００６】
【課題を解決するための手段】
本発明（請求項１）の便座制御装置は、洋風便器上の便座を起立させる便座駆動装置と、該洋風便器に設けられた機器を操作するための複数のスイッチを有したリモコンとを有する便座制御装置において、該洋風便器に設けられた便蓋が倒伏しているときには、該リモコンのいずれのスイッチが操作されたときでも該便座駆動装置は便座を起立させることを特徴とするものである。
【０００７】
かかる便座制御装置によると、便蓋が倒伏しているときには、リモコンのどのスイッチを操作しても便座が起立するので、便座起立用スイッチを探し出すことが不要であり、便座起立スイッチ操作が極めて簡単になる。
【０００８】
本発明（請求項２）の便座制御装置は、洋風便器上の便座を起立させる便座駆動装置と、該洋風便器に設けられた機器を操作するための複数のスイッチを有したリモコンとを有する便座制御装置において、該洋風便器に設けられた便蓋が倒伏しているときには、該リモコンの電源スイッチ以外のいずれのスイッチが操作されたときでも該便座駆動装置は便座を起立させることを特徴とするものである。
【０００９】
この請求項２の便座制御装置は、電源スイッチ以外のスイッチを操作した場合に便座を起立させるようにした他は請求項１と同じである。
【００１０】
本発明（請求項３）の便座制御装置は、洋風便器上の便座を起立させる便座駆動装置と、該洋風便器に設けられた機器を操作するための複数のスイッチを有したリモコンとを有する便座制御装置において、該洋風便器に設けられた便蓋が起立しており、且つ便座に着座がなされていないときには、該リモコンの便器洗浄用スイッチ以外のいずれのスイッチが操作されたときでも該便座駆動装置が便座を起立させることを特徴とするものである。
【００１１】
かかる便座制御装置によると、便蓋が起立しており且つ便座に着座がなされていないときには、リモコンの便器洗浄用スイッチ以外のどのスイッチを操作しても便座が起立するので、便座起立用スイッチを探し出すことが不要であり、便座起立スイッチ操作が極めて簡単になる。
【００１２】
本発明（請求項４）の便座制御装置は、洋風便器上の便座を起立させる便座駆動装置と、該洋風便器に設けられた機器を操作するための複数のスイッチを有したリモコンとを有する便座制御装置において、該洋風便器に設けられた便蓋が起立しており、且つ便座に着座がなされていないときには、該リモコンの電源スイッチと便器洗浄用スイッチとを除いたいずれのスイッチが操作されたときでも該便座駆動装置が便座を起立させることを特徴とするものである。
【００１３】
この請求項３の便座制御装置は、電源スイッチと便器洗浄用スイッチとを除いたスイッチを操作した場合に便座を起立させるようにした他は請求項３と同じである。
【００１４】
【発明の実施の形態】
以下、図面を参照して実施の形態について説明する。図１は実施の形態に係る便座制御装置を備えたトイレルーム内の側面図、図２はリモコンの正面図、図３は制御ブロック図、図４，５は制御内容を示すタイミングチャートである。
【００１５】
洋風便器１の後部上面に便座ボックス２が設置されている。この便座ボックス２に便座３及び便蓋４が起倒方向回動可能に取り付けられている。便座ボックス２内には、この便座３の起倒駆動用の便座駆動装置５と便蓋４の起倒駆動用の便蓋駆動装置６とが設けられている。これらの駆動装置５，６はモータ及びギヤよりなる。便座ボックス２には便座３への着座を検知する着座センサ７と、洋風便器１に近づいた人体を検知する人体検知センサ８とが設けられている。便座ボックス２内には、この駆動装置５，６の駆動を制御するための制御ユニット９（図３）が設けられている。便座ボックス２には、後述のリモコン２０からの赤外線信号光を受信するための信号光受信器１０が設けられている。センサ７，８及び信号光受信器１０からの信号は制御ユニット９に入力される。また、便座駆動装置５及び便蓋駆動装置にそれぞれ設けられたリミットスイッチ（図示略）からは、便座３及び便蓋４の倒伏状態及び起立状態を示す信号が制御ユニット９に入力される。
【００１６】
図示は省略するが、便座ボックス２には、便座３に着座した人体の臀部に向って温水を噴出する温水洗浄ノズル及び該臀部に向って温風を吹き出す温風乾燥ファン等が設けられている。
【００１７】
この洋風便器１の側方のトイレルーム壁面にリモコン２０が設置されている。このリモコン２０には、肛門洗浄用操作スイッチ（シャワースイッチ）２１ａ，２１ｂ，２１ｃ、ビデ洗浄用操作スイッチ２２ａ，２２ｂ，２２ｃ、温風を吹き出させるドライスイッチ２３ａ，２３ｂ，２３ｃ、肛門洗浄（シャワー洗浄）、ビデ洗浄、温風乾燥等の作動をストップさせるストップスイッチ２４が設置されている。なお、各スイッチ２１ａ〜２１ｃ、２２ａ〜２２ｃ、２３ａ〜２３ｃのうち２１ａ，２２ａ，２３ａは温水量又は温風量を少ないものとする弱スイッチであり、２１ｃ，２２ｃ，２３ｃは温水量又は温風量を多いものとする強スイッチであり、２１ｂ，２２ｂ，２３ｂは温水量又は温風量を中間量とする中スイッチである。
【００１８】
また、リモコン２０には、洗浄ノズルの前進限位置を前進させるスイッチ２５と後退させるスイッチ２６とが設けられていると共に、洗浄の広がりを調整するためのワイド洗浄入／切スイッチ２７が設けられている。
【００１９】
さらに、リモコン２０には、便座３を開閉させる便座開閉スイッチ３０と、洋風便器１の便鉢に多量の水を流す大洗浄用スイッチ３１と、便鉢に少量の水を流す小洗浄用スイッチ３２とが設けられている。これらのスイッチ３０，３１，３２は、リモコン２０の上部に設けられた斜め上向き面に配置されている。その他のスイッチはリモコン２０の正面に設けられている。
【００２０】
リモコン２０内には、前記各スイッチ２１ａ〜２１ｃ、２２ａ〜２２ｃ、２３ａ〜２３ｃ、２４〜２７、３０〜３２の操作信号を赤外線として便座ボックス２に向けて発信する発信回路が設置されている。このリモコン２０の底面には、便座ボックス２０内の機器への給電をＯＮ又はＯＦＦとするための電源スイッチ４０が設けられている。
【００２１】
図４を参照してこの便座制御装置の制御の一例を説明する。この図４の制御の場合、着座センサ７及び人体検知センサ８は省略されてもよい。
【００２２】
この図４の制御例にあっては、便座３及び便蓋４が閉（倒伏）状態にあるときにリモコン２０のいずれかのスイッチ（この実施の形態では、電源スイッチ４０以外のスイッチ）が操作されると、制御ユニット９が駆動装置５，６を作動させ、便座３及び便蓋４が起立（開放）する。なお、このとき、そのスイッチが本来奏する機能、例えば臀部洗浄機能や温風ファン作動機能、便器洗浄機能などは奏されず、便座３及び便蓋４の起立のみが行われる。便座３及び便蓋４の起立が完了した後は、リモコン２０の各スイッチは当該スイッチ本来の機能を奏することになる。
【００２３】
図５を参照して別の制御例について説明する。図５（ａ），（ｂ），（ｃ）の初期状態にあっては、トイレルーム内に人体は存在せず、便座３及び便蓋４はいずれも倒伏（閉）状態となっている。
【００２４】
図５（ａ），（ｂ），（ｃ）のいずれにおいても、この初期状態からトイレルーム内に人体が入ってくると、人体検知センサ８が人体を検知し、人体検知信号が制御ユニット９に入力され、制御ユニット９はまず便蓋駆動装置６を作動させて便蓋４を起立（開放）させる。
【００２５】
図５（ａ）にあっては、その後、便座３に着座することなくリモコン２０のいずれかのスイッチ（この実施の形態では大小の便器洗浄スイッチ３１，３２及び電源スイッチ４０を除いたスイッチ）が操作されると、便座３が起立する。この便座３が起立した後は、リモコン２０の各スイッチは当該スイッチ本来の機能を奏することになる。
【００２６】
なお、図５（ｂ）の通り、便蓋４が起立した後、リモコン２０の大又は小用の便器洗浄スイッチ３１又は３２が操作されると、大又は小便器洗浄が行われ、洋風便器１の便鉢に多量又は少量の便器洗浄水が供給される。その後、便器洗浄スイッチ３１，３２と電源スイッチ４０以外のスイッチが操作されると、便座３が起立し、その後はリモコン２０の各スイッチはいずれも当該スイッチの本来の機能を奏することになる。
【００２７】
図５（ｂ）では便蓋４の起立後、便器洗浄スイッチ３１又は３２が１回だけ操作されているが、便座３が起立するまでに便器洗浄スイッチ３１，３２が何回操作されてもその都度便器洗浄が実行され、その後、便器洗浄スイッチ３１，３２及び電源スイッチ４０以外のスイッチが操作されると、便座３が起立する。
【００２８】
このように、便蓋４の起立後、便座３の起立前に便器洗浄を実行可能としたのは、便鉢内に汚物が残っていたりした場合に、便器使用に先立って便器洗浄を可能とするためである。
【００２９】
図５（ａ），（ｂ）では便蓋４が起立した後、着座することなくリモコン２０のスイッチ操作が行われ、このスイッチ操作に伴って便座３が起立するように制御が行われているが、図５（ｃ）のように、便蓋４が自動起立（人体検知信号に基づく起立）を行った後に、便座３の起立前に人体が便座３に着座した場合には、着座センサ７からの着座信号が制御ユニット９に入力された段階でリモコン２０の各スイッチは当該スイッチの本来の機能を奏することになる。即ち、着座がなされると、リモコン２０のスイッチが操作されたからといって便座３は起立せず、便座３は倒伏したままとなる。なお、着座センサ７が着座を検知しているときには、便座開閉スイッチ３０が開操作されても制御ユニット９は便座駆動装置５を作動せず、便座４は倒伏状態のままとされる。着座状態でシャワースイッチ、便器洗浄スイッチ等が操作されると、シャワー洗浄、便器洗浄等が実行される。
【００３０】
上記実施の形態は本発明の一例であり、本発明は上記以外の構成をもとりうる。図示のリモコンや洋風便器は一例であり、本発明は図示以外の構造のリモコンや洋風便器の場合にも適用できる。
【００３１】
【発明の効果】
以上の通り、本発明によると、トイレルームに入って便座を起立させる場合などに、便座起立専用のスイッチ以外のスイッチを操作することにより便座を起立させることができ、極めて便利である。
【図面の簡単な説明】
【図１】実施の形態に係る便座制御装置を備えたトイレルームの側面図である。
【図２】リモコンの正面図である。
【図３】実施の形態に係る便座制御装置の制御ブロック図である。
【図４】実施の形態に係る便座制御装置の制御タイミングチャートである。
【図５】実施の形態に係る便座制御装置の制御タイミングチャートである。
【符号の説明】
１  洋風便器
２  便座ボックス
３  便座
４  便蓋
９  制御ユニット
２０  リモコン
３０  便座開閉スイッチ
３１  大用便器洗浄スイッチ
３２  小用便器洗浄スイッチ
４０  電源スイッチ
【図１】
2004154418.tif 000003
【図２】
2004154418.tif 000004
【図３】
2004154418.tif 000005
【図４】
2004154418.tif 000006
【図５】
2004154418.tif 000007